(57)【要約】【課題】シールド層の外側に磁性体層を設けたＥＭＩ抑止ケーブルに於いて、ＥＭＩ抑止効果を向上させるとともにコストダウンを図る。【解決手段】信号線１２の外側にシールド層１３を設け、シールド層１３の外側に磁性体層１４を設けて外被層１５にて被蔽する。磁性体層１４は、金属フィルム１４ａの片面にフェライト樹脂層１４ｂを設けて２層構造となっている。【選択図】　図１
2004111317.tif 000002
【特許請求の範囲】
【請求項１】
信号線の外側にシールド層を設け、該シールド層の外側に磁性体層を設けたＥＭＩ抑止ケーブルに於いて、フィルムの片面にフェライト樹脂層を設けて２層構造の磁性体層を形成し、該磁性体層を前記シールド層に巻着したことを特徴とするＥＭＩ抑止ケーブル。
【請求項２】
上記磁性体層を信号線の軸芯周りにスパイラル状に卷着した請求項１記載のＥＭＩ抑止ケーブル。
【請求項３】
上記磁性体層を信号線の軸方向に沿って包着した請求項１記載のＥＭＩ抑止ケーブル。
【請求項４】
上記磁性体層は金属フィルムの片面にフェライト樹脂層を設けた請求項１，２または３記載のＥＭＩ抑止ケーブル。
【請求項５】
上記磁性体層はフィルムの片面にフェライトコンパウンドを含む樹脂層を印刷等の手段にて形成した請求項１，２，３または４記載のＥＭＩ抑止ケーブル。
【発明の詳細な説明】
【０００１】
【発明の属する技術分野】
本発明はＥＭＩ抑止ケーブルに関するものであり、特に、シールド層の外側に磁性体層を設けたＥＭＩ抑止ケーブルに関するものである。
【０００２】
【従来の技術】
従来、電磁波の干渉（ＥＭＩ）を抑止するために、図４に示すようにケーブル１の途中にフェライトコア２を外付けすることは公知である。コネクタ３の近傍位置にこのフェライトコア２を取り付けて、ケーブル１の一部分を外側から被蔽することにより、外部からＥＭＩノイズが侵入するのを抑止するとともに、信号線からＥＭＩノイズが外部へ輻射するのを抑止する。
【０００３】
しかし、フェライトコア２を固定するための取り付け作業が煩雑であり、且つ、取り付けのスペース及び重量の増加等の制約があってコストアップになるとともに、フェライトコア２がケーブル１から大きく突出しているために破損する虞もあった。
【０００４】
これらの不具合を解消すべく、シールド層の外側に第２の絶縁層を設け、この第２の絶縁層の外側の少なくとも一部の領域にアモルファス磁性体層を備えたケーブルが提案されている。該ケーブルは芯線の外側に第１の絶縁層を設け、第１の絶縁層の外周面には、金属編組線よりなるシールド層が形成されている。そして、シールド層の外側に第２の絶縁層が形成され、該第２の絶縁層の外側の全長に亙って若しくは少なくとも一部の領域にアモルファス磁性体層が形成されている。（例えば特許文献１参照）。
【０００５】
【特許文献１】
特願平６−２０３６５２号公報（第１〜４頁、図１〜図２）
【０００６】
【発明が解決しようとする課題】
前述した特許文献１記載のケーブルは、フェライトコアを取り付けたケーブルに比べて、取り付けスペース及び重量等の制約に対して有利であるが、アモルファス磁性体を構成しているアモルファス磁性体テープは、ベーステープがポリエステルやＰＰＳであるため、ＥＭＩノイズの抑止効果が低かった。
【０００７】
そこで、シールド層の外側に磁性体層を設けたＥＭＩ抑止ケーブルに於いて、ＥＭＩ抑止効果を向上させるとともにコストダウンを図るために解決すべき技術的課題が生じてくるのであり、本発明はこの課題を解決することを目的とする。
【０００８】
【課題を解決するための手段】
本発明は上記目的を達成するために提案されたものであり、信号線の外側にシールド層を設け、該シールド層の外側に磁性体層を設けたＥＭＩ抑止ケーブルに於いて、フィルムの片面にフェライト樹脂層を設けて２層構造の磁性体層を形成し、該磁性体層を前記シールド層に巻着したＥＭＩ抑止ケーブル、
及び、上記磁性体層を信号線の軸芯周りにスパイラル状に卷着したＥＭＩ抑止ケーブル、
及び、上記磁性体層を信号線の軸方向に沿って包着したＥＭＩ抑止ケーブル、
及び、上記磁性体層は金属フィルムの片面にフェライト樹脂層を設けたＥＭＩ抑止ケーブル、
及び、上記磁性体層はフィルムの片面にフェライトコンパウンドを含む樹脂層を印刷等の手段にて形成したＥＭＩ抑止ケーブルを提供するものである。
【０００９】
【発明の実施の形態】
以下、本発明の一実施の形態を図１乃至図３に従って詳述する。図１はＥＭＩ抑止ケーブル１１を示し、信号線１２の外側にシールド層１３を設け、該シールド層１３の外側に磁性体層１４を設けてある。そして、磁性体層１４の外側はシースと称される外被層１５にて被蔽されている。
【００１０】
前記信号線１２は銅や金等の導電性に優れた金属線にて構成され、図示例では複数本の芯線１２ａ，１２ａ…が束ねられ、各芯線１２ａは可撓性の絶縁材にて被蔽されて隣接する芯線との短絡を防止してある。しかし、特にこれに限定されず、一本の芯線１２ａのみで信号線１２を構成することもできる。
【００１１】
前記シールド層１３は従来一般的に使用されている金属編組線からなるが、可撓性の導電性材料であれば例えば金属箔や金属テープ等、任意の材質・構造のものであってもよい。
【００１２】
前記磁性体層１４は、図１及び図２に示すように、フィルム１４ａの片面にフェライト樹脂層１４ｂを設けて２層構造となっている。該フィルム１４ａはフェライト樹脂層１４ｂを保持するためのベースフィルムであり、可撓性の導電性材料であるアルミや銅等の金属フィルムにて構成されている。合成樹脂等の絶縁材フィルムと異なり、金属フィルムにて構成したことにより、前記シールド層１３と同様にノイズを遮断する効果を備えている。
【００１３】
前記フェライト樹脂層１４ｂは、前記フィルム１４の片面にフェライトコンパウンドを含む樹脂を印刷等の手段にて形成されている。フェライト樹脂層１４ｂを設けたことにより、他の磁性体層に比べて透磁率が大きく、周波数特性が良好であり、極めて高いＥＭＩ抑止力を発揮する。
【００１４】
同図に示した一例では、前記磁性体層１４は信号線１２の軸心周りにスパイラル状に卷着されており、ＥＭＩ抑止ケーブル１１の全長に亙って、或いは、少なくとも任意の長さに亙って磁性体層１４を形成できる。このため、従来のフェライトコアを局部的に外付けしたＥＭＩ抑止ケーブルに比べて、ケーブルの全長に対してＥＭＩ抑止効果を発揮することができる。また、取り付けスペース及び重量等の制約に対して有利であり、美観を損ねることもない。更に、該磁性体層１４は可撓性であり、その外側を外被層１５にて被蔽してあるので、磁性体層１４が破損する虞がない。
【００１５】
図３は他の実施の形態であるＥＭＩ抑止ケーブル２１を示し、前述したＥＭＩ抑止ケーブル１１と同一構成部分には同一符号を付してその説明を省略するものとする。前記ＥＭＩ抑止ケーブル１１と構成が異なる箇所は磁性体層２４である。可撓性金属フィルム２４ａの片面にフェライト樹脂層２４ｂを設けて２層構造となっている点については、前記ＥＭＩ抑止ケーブル１１の磁性体層１１とまったく同じであるが、該磁性体層２４は信号線１２の軸方向に沿って包着されている。
【００１６】
斯かる構成の場合に於いても、前記フェライト樹脂層２４ｂは、前記フィルム２４ａの片面にフェライトコンパウンドを含む樹脂を印刷等の手段にて形成され、他の磁性体層に比べて透磁率が大きく、周波数特性が良好であり、極めて高いＥＭＩ抑止力を発揮する。
【００１７】
そして、ＥＭＩ抑止ケーブル２１の全長に亙って、或いは、少なくとも任意の長さに亙って磁性体層２４を形成できるため、従来のフェライトコアを局部的に外付けしたＥＭＩ抑止ケーブルに比べて、ケーブルの全長に対してＥＭＩ抑止効果を発揮することができ、また、取り付けスペース及び重量等の制約に対して有利であり、美観を損ねることもない。更に、該磁性体層２４は可撓性であり、その外側を外被層１５にて被蔽してあるので、磁性体層２４が破損する虞がない。
【００１８】
而して、前記磁性体層１４及び２４は、何れも２層構造でシールド層１３の外側に卷装されているので、フェライト樹脂層１４ｂ，２４ｂのフェライトコンパウンドの含有量や厚み等を種々の数値に調整することにより、従来よりも安価でより効果的なＥＭＩ抑止ケーブルを提供することができる。また、前記磁性体層１４，２４には金属製のフィルム１４ａ，２４ａが設けられているため、該フィルム１４ａ，２４ａ自体がノイズを遮断する効果を備えているので、シールド層１３を削除することも可能である。
【００１９】
また、上記ＥＭＩ抑止ケーブル１１及び２１は、例えばコンピュータゲーム機本体とゲームコントローラとを接続するケーブルに使用されるほか、他のパソコン関連パーツの接続ケーブルや、家電製品等にも使用できることは当然である。然るときも、外付けのフェライトコアが不要であり、コントローラ内部の電子部品及びＥＭＩ対策部品が不要であるためコストダウンに寄与できる。更に、ケーブル内部のシールド層を削除すれば、より一層のコストダウンを図ることが可能である。
【００２０】
尚、本発明は、本発明の精神を逸脱しない限り種々の改変を為すことができ、そして、本発明が該改変されたものに及ぶことは当然である。
【００２１】
【発明の効果】
本発明は上記一実施の形態に詳述したように、請求項１記載の発明は、フィルムの片面にフェライト樹脂層を設けて２層構造の磁性体層を形成し、該磁性体層をシールド層に巻着してあるので、従来のフェライトコアを局部的に外付けする構成に比べて、外付け作業が不要でありコストダウンに寄与できる。また、取り付けスペース及び重量の増加等の制約を受けないため利便性が高い。
【００２２】
請求項２記載の発明は、上記磁性体層を信号線の軸芯周りにスパイラル状に卷着したことにより、請求項１記載の発明の効果に加えて、ケーブルの全長に亙ってＥＭＩ抑止効果を発揮することができる。
【００２３】
請求項３記載の発明は、上記磁性体層を信号線の軸方向に沿って包着したことにより、請求項２記載の発明と同様の作用効果を有する。
請求項４記載の発明は、上記磁性体層は金属フィルムの片面にフェライト樹脂層を設けてある。合成樹脂等の絶縁材フィルムと異なり、金属フィルムにて構成したことにより、請求項１，２または３記載の発明の効果に加えて、シールド層と同様にノイズを遮断する効果を備えており、シールド層を削除することも可能となってコストダウンに寄与できる。
【００２４】
請求項５記載の発明は、上記磁性体層はフィルムの片面にフェライトコンパウンドを含む樹脂層を印刷等の手段にて形成してある。フェライト樹脂層は他の磁性体層に比べて透磁率が大きく、周波数特性が良好であるため、請求項１，２，３または４記載の発明の効果に加えて、極めて高いＥＭＩ抑止力を発揮することが可能である。
【図面の簡単な説明】
【図１】本発明の一実施の形態を示し、ＥＭＩ抑止ケーブルの一部切欠斜視図。
【図２】図１のＡ部分の拡大図。
【図３】本発明の他の実施の形態を示し、ＥＭＩ抑止ケーブルの一部切欠斜視図。
【図４】従来技術を示し、フェライトコアを外付けしたケーブルの正面図。
【符号の説明】
１１，２１　　ＥＭＩ抑止ケーブル
１２　　　　　信号線
１３　　　　　シールド層
１４，２４　　磁性体層
１４ａ，２４ａ　　フィルム
１４ｂ，２４ｂ　　フェライト樹脂層
１５　　　　　外被層
【図１】
2004111317.tif 000003
【図２】
2004111317.tif 000004
【図３】
2004111317.tif 000005
【図４】
2004111317.tif 000006